(57)【特許請求の範囲】
【請求項１】
一体の金属材料に２つの貫通孔が形成された照明器具脱落防止用ルーズナットであって、
前記２つの貫通孔のうちの１つは、雌ネジが形成されたネジ孔として、トンネル内面に設置されたアンカーボルトの雄ネジ部に螺合する螺合部に設けられ、
前記２つの貫通孔のうちの他の１つは、前記螺合部における螺合の方向とは異なる方向に形成された貫通孔であり、照明器具または前記照明器具を取り付ける部材に結合されるワイヤが貫通するナット側貫通孔として、前記螺合部と一体に形成されたワイヤ結合部に設けられ、
前記螺合部および前記ワイヤ結合部は、前記ネジ孔および前記ナット側貫通孔の外側全周をそれぞれ取り囲んでいる、照明器具脱落防止用ルーズナット。
【請求項２】
請求項１記載の照明器具脱落防止用ルーズナットであって、
前記螺合部のネジ孔の貫通方向と前記ワイヤ結合部の前記貫通孔の貫通方向とは、前記ネジ孔と前記貫通孔とが重なる方向から見て直交する、
照明器具脱落防止用ルーズナット。
【請求項３】
前記金属材料はステンレス鋼である、請求項１または請求項２に記載の照明器具脱落防止用ルーズナット。
【請求項４】
請求項１から請求項３のいずれか一項に記載の照明器具脱落防止用ルーズナットと、
前記照明器具脱落防止用ルーズナットの前記螺合部の前記ネジ孔に適合する雄ネジ部を有するアンカーボルトと、
前記ワイヤ結合部に貫通されるワイヤと
を含む、照明器具脱落防止用具。
【請求項５】
前記ワイヤは、ステンレス鋼を編んだステンレスワイヤであり、前記ワイヤ結合部の前記貫通孔および前記照明器具側に設けられた貫通孔に接する部位は、合成樹脂性の保護カバーにより被覆された、請求項４に記載の照明器具脱落防止用具。
【請求項６】
トンネル内面に支持台を用いて照明器具を固定し、
前記照明器具の固定位置の近傍にアンカーボルトを設置し、
前記アンカーボルトに設けられた雄ネジ部に、請求項１から請求項３のいずれか一項に記載の照明器具脱落防止用ルーズナットの前記螺合部の前記ネジ孔を螺合して取り付け、
前記アンカーボルトに取り付けられた前記照明器具脱落防止用ルーズナットの前記ワイヤ結合部の前記ナット側貫通孔と、前記照明器具または前記照明器具を前記支持台に取り付ける部材に設けられた器具側貫通孔とにワイヤを貫通させ、
前記ワイヤが貫通した前記ナット側貫通孔および前記器具側貫通孔から離脱しないように、前記ワイヤ同士を接合する、
照明器具の設置方法。
【請求項７】
トンネル内面に支持台を用いて照明器具が固定された照明装置に脱落防止のための施工を行なう方法であって、
前記照明装置の固定位置と同等または固定位置より高い位置にアンカーボルトを設置し、
前記アンカーボルトに設けられた雄ネジ部に、請求項１から請求項３のいずれか一項に記載の照明器具脱落防止用ルーズナットの前記螺合部の前記ネジ孔を螺合して取り付け、
前記アンカーボルトに取り付けられた前記照明器具脱落防止用ルーズナットの前記ワイヤ結合部の前記ナット側貫通孔と、前記照明器具または前記照明器具を前記支持台に取り付ける部材に設けられた器具側貫通孔とにワイヤを貫通させ、
前記ワイヤが、貫通した前記ナット側貫通孔および前記器具側貫通孔から離脱しないように、前記ワイヤ同士を接合する、
方法。
【請求項８】
照明装置であって、
請求項１から請求項３のいずれか一項に記載の照明器具脱落防止用ルーズナットと、
トンネル内面に設けられた下孔に設置され、外側に形成された雄ネジ部に、前記照明器具脱落防止用ルーズナットの前記螺合部の前記ネジ孔が螺合して取り付けられるアンカーボルトと、
前記トンネル内面に、支持台を用いて固定された照明器具と、
前記照明器具脱落防止用ルーズナットの前記ワイヤ結合部の前記ナット側貫通孔と、前記照明器具または前記照明器具を前記支持台に取り付ける部材に設けられた器具側貫通孔とに貫通されて固定されるワイヤと、
を備える照明装置。
【発明の詳細な説明】
【技術分野】
【０００１】
本開示は、照明器具の脱落を防止する各種技術に関する。
【背景技術】
【０００２】
高速道路等の道路のトンネル壁面や天井などには、多数の照明器具が、支持台を介して取付けられている。支持台は、トンネル壁面に設置されたアンカーボルトにネジ止めされるなどの方法で固定されている。こうした照明器具が支持台から脱落して落下すると、走行している車両と接触する虞があり、事故につながる場合があり得る。このため、近年では、錆や腐食などで、支持台と照明器具との固定が弱ったり失われたりした場合でも、照明器具が脱落して落下しないようにする落下防止の手段を設けることが行なわれている。特許文献１には、ワイヤを用いて、脱落を防止する手法が提案されている。
【先行技術文献】
【特許文献】
【０００３】
【特許文献１】特開２０１６−２０１３３９号公報
【発明の概要】
【発明が解決しようとする課題】
【０００４】
しかしながら、ワイヤを用いて照明器具の脱落を防止する場合、次の課題が想定される。ワイヤはトンネルなどの内壁に打ち込んだアンカーボルトに固定するが、この固定が確実なものでなければ、照明器具が支持台から外れたとき、ワイヤによる脱落防止の機能が十分に果たされない虞がある。特許文献１では、ワイヤをどのようにアンカーボルトに固定するかは示されていない。アンカーボルトにワイヤを固定するために複数の部品を使用すれば、それだけ取り付けに手間を要することになり、また故障の可能性も高まる。また、ワイヤを固定する部材をボルト・ナットなどでタイトに固定すれば、ナットが長年の使用によっても緩まないことが求められる。車両などの通行による振動が避けられない高速道路のトンネルなどでは、ナットの緩みを完全に取り除くことは困難であった。もとより、緩み止め機能を果たす特殊なナットも存在するが、取付の手間や費用が大きくなってしまう。
【課題を解決するための手段】
【０００５】
本開示は、以下の形態又は適用例として実現することが可能である。
【０００６】
本開示の照明器具脱落防止用ルーズナットは、その一態様において、トンネル内面に設置されたアンカーボルトの雄ネジ部に螺合する螺合部と、前記螺合部における螺合の方向とは異なる方向に形成された貫通孔であって、照明器具または前記照明器具を取り付ける部材に結合されるワイヤが貫通する貫通孔を有するワイヤ結合部と、を、金属材料により一体に形成してなる。この照明器具脱落防止用ルーズナットは、金属材料により一体に形成されているので、照明器具または前記照明器具を取り付ける部材に結合されるワイヤを、アンカーボルトに容易に取り付けることができる。しかも、一旦ワイヤがワイヤ結合部に通されれば、アンカーボルトの雄ネジ部から離脱することがない。また構成がシンプルなので、腐食や錆などの原因で故障が生じる可能性が低い。
【０００７】
本開示の照明器具脱落防止用具は、上記の照明器具脱落防止用ルーズナットと、前記照明器具脱落防止用ルーズナットの前記螺合部に適合する雄ネジ部を有するアンカーボルトと、前記ワイヤ結合部に貫通されるワイヤとを含む。こうすれば、僅か３つの部品を用意するだけで、容易に照明器具の脱落防止を図ることができる。
【０００８】
本開示の照明器具の設置方法は、トンネル内面に支持台を用いて照明器具を固定し、前記照明器具の固定位置の近傍にアンカーボルトを設置し、前記アンカーボルトに設けられた雄ネジ部に、ワイヤ取り付け用のルーズナットに形成された螺合部を螺合し、前記ルーズナットの前記螺合部から離間した部位に、前記螺合部における螺合の方向とは異なる方向に形成されたナット側貫通孔と、前記照明器具または前記照明器具を前記支持台に取り付ける部材に設けられた器具側貫通孔とにワイヤを貫通させ、前記ワイヤが貫通した前記ナット側貫通孔および前記器具側貫通孔から離脱しないように、前記ワイヤ同士を接合する。こうすれば、照明器具の脱落防止を図りつつ、照明器具を容易に設置できる。
【０００９】
本開示の照明装置に脱落防止のための施工を行なう方法は、トンネル内面に支持台を用いて照明器具が固定された照明装置に脱落防止のための施工を行なう方法であって、前記照明装置の固定位置と同等または固定位置より高い位置にアンカーボルトを設置し、前記アンカーボルトに設けられた雄ネジ部に、ワイヤ取り付け用のルーズナットに形成された螺合部を螺合し、前記ルーズナットの前記螺合部から離間した部位に、前記螺合部における螺合の方向とは異なる方向に形成されたナット側貫通孔と、前記照明器具または前記照明器具を前記支持台に取り付ける部材に設けられた器具側貫通孔とにワイヤを貫通させ、前記ワイヤが、貫通した前記ナット側貫通孔および前記器具側貫通孔から離脱しないように、前記ワイヤ同士を接合する。こうすれば、既に設置されている照明装置であっても、照明器具の脱落を防止するための施工を容易に行なうことができる。
【００１０】
本開示の照明装置は、トンネル内面に設けられた下孔に設置され、外側に雄ネジ部が形成されたアンカーボルトと、前記トンネル内面に、支持台を用いて固定された照明器具と、前記アンカーボルトの雄ネジ部に螺合される螺合部を有するルーズナットと、前記ルーズナットの前記螺合部から離間した位置に、前記螺合部における螺合の方向とは異なる方向に形成されたナット側貫通孔と、前記照明器具または前記照明器具を前記支持台に取り付ける部材に設けられた器具側貫通孔とに貫通されて固定されるワイヤとを備える。こうすれば、照明器具の脱落を予防できる照明装置を容易に提供できる。
【００１１】
上記の態様以外の種々なる構成、例えば照明器具脱落防止用ルーズナットの製造方法や、照明器具脱落防止用具の提供方法、照明装置の修理方法などの構成も、本開示に含まれる。
【図面の簡単な説明】
【００１２】
【図１】トンネルの内面に照明器具を取り付けた状態を側面から見た状態を示す説明図。
【図２】トンネルの内面に照明器具を取り付けた状態を正面から見た状態を示す説明図。
【図３】ルーズナットの取り付け状態を示す説明図。
【図４】ルーズナットの正面および側面を示す説明図。
【図５】図４におけるＶ矢視図。
【図６】ルーズナットの他の実施形態を示す説明図。
【図７】ルーズナットの更に他の実施形態を示す説明図。
【図８】他の施工例を示す説明図。
【図９】更に、他の施工例を示す説明図。
【発明を実施するための形態】
【００１３】
Ａ．実施形態：
実施形態の照明器具脱落防止用ルーズナット（以下、単にルーズナットと呼ぶ）、照明器具脱落防止用具、照明器具の設置方法および照明装置等
について説明する。照明器具３０をトンネルの内面、ここでは壁面ＴＷに取り付けた照明装置１０を例に挙げて説明する。もとより、照明装置１０は、トンネルの天井に取り付けてもよい。また、トンネルは、山体をくりぬいて形成されるものに限らず、地下や海底のトンネルであってもよく、騒音対策のためなどの理由で、コンクリート等で人工的に形成されたトンネル（チューブ）などであってもよい。また急斜面に造成された道路などを覆う半トンネル（片側が開放されたトンネル）などであっても差し支えない。
【００１４】
この照明装置１０は、図１および図２に示すように、トンネルの壁面ＴＷに、照明器具３０の幅方向左右に配置された支持台２０，２５を用いて固定される。照明器具３０の設置から行なう場合は、「照明器具の設置方法」となり、既に設置されている照明装置に脱落防止の処置を行なう場合には、「照明装置に脱落防止のための施工を行なう方法」となる。照明器具３０を固定する支持台２０，２５は、左右対称に構成され、配置される。支持台２０，２５は、Ｌアングルを組み合わせて構成される。第１Ｌアングル２１は、ベース部２１ｃの両側に直角に折り曲げられた長短２つのアーム部２１ａ，２１ｂを備える。ベース部２１ｃは、２つのアンカーボルト１２，１３により、壁面ＴＷに固定される。アンカーボルト１２，１３は、打ち込みタイプ、接着剤タイプのいずれでもよい。また、打ち込みはセンタピンによってもよいし、スリーブを円環状の工具により打ち込むものであってもよい。アンカーボルトの先端には、雄ネジが形成されており、ベース部２１ｃに設けられた取り付け孔にネジ部を差し入れて、ナットを螺合して、第１Ｌアングル２１を固定する。なお、支持台２０，２５の壁面ＴＷの取り付けは、アンカーボルトによらず、他の手法、例えばコンクリートプラグによって固定してもよい。
【００１５】
第１Ｌアングル２１のアーム部２１ａ，２１ｂの先端同士は、第２Ｌアングル２２により結合されている。第１Ｌアングル２１と第２Ｌアングル２２との結合は溶接によってもよいし、ボルト・ナットで締結してもよい。なお、支持台２０，２５は、２つのＬアングルを組み合わせて形成する必要はなく、一体物として成形してもよい。また、その形状も、照明器具３０を壁面に取り付けられれば、どのような形状、材質でもよい。
【００１６】
照明器具３０は、ベースプレート３５に取り付けられ、ベースプレート３５ごと、支持台２０，２５に取り付けられる。図示は省略したが、照明器具３０は、その背面に複数の取り付け用係止爪とネジ孔が形成されており、係止爪を、ベースプレート３５に設けられた図示しない係止溝に嵌め込んだ上で、ネジにより、ベースプレート３５にネジ止めされている。支持台２０，２５とベースプレート３５との固定は、第２Ｌアングル２２に設けられた取り付け孔と、ベースプレート３５に設けられた取り付け孔とを重ね、これをボルト・ナット３１，３２により固定することで行なわれる。このボルト・ナット３１が取り付けられる部位の近傍に、ワイヤ用の器具側貫通孔３７，３８が設けられている。この器具側貫通孔３７，３８の使い方は、後で詳しく説明する。
【００１７】
照明器具３０は、多数のＬＥＤランプ７０を配列して備える。照明器具３０には、ＬＥＤ７０用の電力を供給するケーブル３３が接続されている。ＬＥＤ７０からの光は、半透明のカバー７１により散乱される。トンネル内には、こうした照明器具３０が、左右一組の支持台２０，２５を用いてトンネルの壁面ＴＷに多数設けられており、トンネル内を照らす。
【００１８】
本実施形態では、こうした支持台２０，２５を用いた照明器具３０の固定に加えて、更に、ワイヤ６０を用いた脱落防止のため施工が行なわれている。支持台２０，２５を壁面ＴＷに固定するアンカーボルト１２，１３より壁面ＴＷに沿って所定距離だけ上方に隔たった位置に、下孔ＵＨが形成され、ここに、脱落防止用ルーズナット５０を取り付けるためのアンカーボルト１１が設置されている。このルーズナット５０の取付の様子を図３に示した。また、ルーズナット５０の正面および側面を、図４に符号（Ａ）（Ｂ）として示した。更に、図４におけるＶ矢視を、図５に示した。
【００１９】
図４，図５に示すように、ルーズナット５０は、雌ネジが形成されたネジ孔５１を有する螺合部５０ａと、ナット側貫通孔５２が形成されたワイヤ結合部５０ｂとを備える。本実施形態では、ルーズナット５０はステンレス鋼を用いて、螺合部５０ａとワイヤ結合部５０ｂとを一体に形成している。材料は、ステンレス鋼に限らず、亜鉛メッキを施した鋼材や真鍮など、ステンレス鋼より安価な材料を用いてもよい。あるいはチタンなど、耐久性に更に優れた材料を用いることも望ましい。製造は、切削加工に限らず、鍛造など他の手法を用いてもよい。２つの部材を溶接して一体にしてもよい。いずれの場合も、強度のバラ付きが小さい製造方法を用いることか望ましい。
【００２０】
本実施形態のネジ孔５１とナット側貫通孔５２とは、図４のＶ矢視のように、両者が重なるように見たとき、各孔の貫通の方向、つまりネジ孔５１の軸ＡＸとナット側貫通孔５２の軸ＷＸとは直交している。ここで直交とは製造上の誤差を含み、±１０度程度の範囲までを言う。もとより、ワイヤ６０の捻れなどを考慮して、ネジ孔５１とナット側貫通孔５２との角度を１０度から８０度のうちの任意の角度としても差し支えない。なお、ナット側貫通孔５２の両開口には、面取りがなされている。このため、ワイヤ６０がナット側貫通孔５２の開口の角でこすれて損傷を受けるということがない。
【００２１】
ワイヤ６０を用いた脱落防止の措置を施す場合には、まず壁面ＴＷにドリルなどにより形成された下孔ＵＨにアンカーボルト１１を差し込み、円環状の治具により、スリーブ１８を叩き込んで変形させ、アンカーボルト１１をＵＨに設置・固定する。この状態で、アンカーボルト１１の雄ネジが形成された雄ネジ部１９は、壁面ＴＷから外部に突出している。そこで、アンカーボルト１１頂部の雄ネジ部１９にルーズナット５０を螺合する。このとき、ルーズナット５０は、それ以上回転できなくなる位置まで螺合する必要はない。雄ネジ部１９の全長に対して、半分以上奥まで螺合していれば十分である。つまりアンカーボルト１１とルーズナット５０との螺合は、タイトなものでなく、ルーズなものとなる。このため、ルーズナット５０におけるワイヤ結合部５０ｂの方向を自由に選択することができる。
【００２２】
雄ネジ部１９にネジ孔５１を螺合した状態で、ワイヤ６０を、ワイヤ結合部５０ｂのナット側貫通孔５２に通す。ワイヤ６０は、図１，図２に示したように、照明器具３０が取り付けられたベースプレート３５の器具側貫通孔３７，３８にも通され、アルミロックなどの圧着部材６１にワイヤ６０を挟んで加締めることで、圧着される。こうして、支持台２０，２５により壁面ＴＷに固定されている照明器具３０は、更に、ルーズナット５０のナット側貫通孔５２を貫通した２本のワイヤ６０により、２箇所のアンカーボルト１１にそれぞれ結合され、脱落防止が図られる。なお、圧着部材６１を用いた圧着に代えて、溶接や接着剤による固定でも、所望の強度が得られれば差し支えない。また、ワイヤ６０同士を固定するしなくても、ナット側貫通孔５２や器具側貫通孔３７，３８を通したワイヤ６０の先端に他の部材を固定して抜止を図る形態にすることも差し支えない。照明器具３０が脱落した場合に、ワイヤ６０がナット側貫通孔５２や器具側貫通孔３７，３８から抜けず、脱落を防止できればよい。
【００２３】
以上説明した実施形態に拠れば、ルーズナット５０を用いることで、照明器具３０の脱落を容易かつ確実に防止でき、また照明器具３０の確実な脱落防止を図った照明装置１０を簡易に提供できる。これは、螺合部５０ａとワイヤ結合部５０ｂとを金属材料により一体に形成したルーズナット５０を、アンカーボルト１１の雄ネジ部１９にネジ孔５１により螺合し、そのルーズナット５０のナット側貫通孔５２に直接ワイヤ６０を貫通させていることに拠っている。ルーズナット５０は、アンカーボルト１１の雄ネジ部１９にルーズに螺合しているだけであり、雄ネジ部１９に締め込むような取付をしていない。このため、施工が容易である。その上、ルーズナット５０の回転位置は自由に定めることができ、ルーズナット５０は、ワイヤ６０の引っ張り方向になつくから、ワイヤ６０の捻れにより、ワイヤ６０やルーズナット５０に応力が加わることがない。しかも、ワイヤ６０が張設されていることで、ルーズナット５０が緩んで、雄ネジ部１９から脱落することもない。更に、アンカーボルト１１とワイヤ６０とを接続するのにただ１つの部材、つまりルーズナット５０だけで済ませることができ、省資源や取り付け工数の低減を図ることができる。かてて加えて、部品点数が少ないことから、部品の摩耗、さび付き、腐食などによる故障の可能性も低減される。
【００２４】
Ｂ．他の実施形態：
脱落防止用ルーズナットは、上述した形態に限らない。例えば、図６に示したように、螺合部１５０ａとワイヤ結合部１５０ｂとを側面視で直線上に配置せず、ワイヤ６０の引っ張り方向を考慮した角度を付けたルーズナット１５０としてもよい。あるいは、図７に示したように、ワイヤ結合部２５０ｂに設けるナット側貫通孔２５２の断面形状を、丸以外の他の形状、例えば多角形形状や楕円形状などにしたルーズナット２５０としてもよい。また、これとは別に、螺合部２５０ａに設けるネジ孔２５１に、回り止めのイモネジ２２０を取り付けるネジ孔２６１を設けるものとしてもよい。上述した実施形態では、ルーズナット２５０は、アンカーボルト１１の雄ネジ部１９に対する回転角度が自由になるようにしているが、イモネジ２２０を設けて、これを締めれば、ルーズナット２５０の回転角度を所望の角度にして固定することができる。こうすれば、ワイヤ６０を弛んだ状態にしてもルーズナット５０は回転しないから、ワイヤ６０の長さを、ルーズナット２５０からベースプレート３５の器具側貫通孔３７，３８までの距離より長くして、ワイヤ６０を弛ませておくことも可能となる。こうすれば、ワイヤ６０にテンションがかからない状態にしておける。また、ルーズナット２５０の角度を定めることも容易である。ワイヤ６０を弛ませたい場合やルーズナット２５０を所定の角度にしたい場合などには、イモネジ２２０を締めればよく、ワイヤ６０を弛ませたり角度を固定したりしたくない場合には、イモネジ２２０を緩めるか外しておけばよい。なお、イモネジ２２０である必要はなく、通常のビスであってもよい。
【００２５】
上記実施形態では、ワイヤ６０はほぼ垂直になるように、アンカーボルト１１とベースプレート３５の器具側貫通孔３７，３８との位置関係を定めているが、図８に示すように、ワイヤ６０が斜めになる配置としてもよい。また、図８の例では、一つのアンカーボルト１１に対して、二つのワイヤ６０を取り付けている。したがって、この場合には、一つの照明器具３０は２つのワイヤ６０で脱落を防止しているが、アンカーボルト１１は、一つの照明器具３０当たりそれぞれ一つとなる。照明器具３０を設置した状態では、照明器具３０は、支持台２６により壁面ＴＷに固定されているから、ワイヤ６０には照明器具３０の荷重はかかっていない。一つの照明器具３０が脱落したとき、アンカーボルト１１，ルーズナット５０およびワイヤ６０にかかる荷重は一つの照明器具３０の重量以上にはならない。したがって、このように一つのアンカーボルト１１を異なる照明器具３０用のルーズナット５０およびワイヤ６０で共用しても差し支えない。
【００２６】
本実施形態では、アンカーボルト１１，ルーズナット５０、ワイヤ６０からなる照明器具脱落防止用具は、照明器具１つに対して２つ用意したが、照明器具３０が支持台２０，２５から、あるいは照明器具３０と支持台２０，２５とが壁面ＴＷから、脱落した場合に、その荷重に耐えられるのであれば、１つでもよいし、３つ以上であってもよい。ワイヤ６０を弛みなく設置するのであれば、照明器具３０に対して、照明器具３０より高い位置にアンカーボルト１１を二つ設けてワイヤ６０で吊るす形態以外に、照明器具３０の両側からワイヤ６０で張設するようにしてもよい。
【００２７】
ワイヤ６０は、照明器具３０側では、これを保持するベースプレート３５の器具側貫通孔３７，３８を通しているが、照明器具３０にワイヤ６０が貫通する貫通孔を設け、ワイヤ６０が直接照明器具３０を保持するようにしてもよい。また、図９に示すように、照明器具３０ごとワイヤ３６０で保持してもよい。この場合、ワイヤ３６０が照明器具３０の脱落を確実に防止できるように、照明器具３０側にワイヤ３６０のズレを防止する溝を設け、ワイヤ３６０をこの溝に沿って配置してもよい。このとき、カバーを左右二つに分割し、ワイヤ３６０が通る溝を、左右のカバーの間に設ければ、ワイヤ３６０があっても照明器具３０のカバーを開くのに支障はない。
【００２８】
このほか、本開示は、以下の態様を取り得る。
（１）本開示の照明器具脱落防止用ルーズナットは、その一態様において、トンネル内面に設置されたアンカーボルトの雄ネジ部に螺合する螺合部と、前記螺合部における螺合の方向とは異なる方向に形成された貫通孔であって、照明器具または前記照明器具を取り付ける部材に結合されたワイヤが貫通する貫通孔を有するワイヤ結合部と、を、金属材料により一体に形成してなる。ここでアンカーボルトは、照明器具の脱落を十分に防止できる強度を有すればよく、例えばＭ８以上の雄ネジ部を備えたものであればよい。アンカーボルトの形式は、打ち込み式、接着剤式など、その形態を問わない。打ち込みはセンタピンに拠ってもよいし、スリーブを円環状の治具を用いて打ち込むものであってもよい。
【００２９】
（２）こうした構成において、前記螺合部は、雌ネジが形成された貫通するネジ孔であり、前記ネジ孔の貫通方向と前記貫通孔の貫通方向とは、前記ネジ孔と前記貫通孔とが重なる方向から見て直交するものとしてよい。こうすれば、ワイヤをトンネル内面に沿って容易に引き出せる。もとより、螺合部とワイヤ結合部の貫通孔とは、その方向を異にしていればよく、アンカーボルトに照明器具脱落防止用ルーズナットを取り付けた状態で、ワイヤを容易に貫通孔に貫通させることができる。
【００３０】
（３）こうした構成において、前記金属材料はステンレス鋼であるものとしてもよく、これ以外のチタンなどの腐食や錆などの影響の受けにくい金属材料であることも好ましい。もとより錆に強い亜鉛メッキなどを施して鋼材や真鍮などを用いることも可能である。
【００３１】
（４）本開示の照明器具脱落防止用具は、上記の照明器具脱落防止用ルーズナットと、前記照明器具脱落防止用ルーズナットの前記螺合部に適合する雄ネジ部を有するアンカーボルトと、前記ワイヤ結合部に貫通されるワイヤとを含む。こうすれば、僅か３つの部品を用意するだけで、容易に照明器具の脱落防止を図ることができる。ワイヤは、金属製でもよいし、カーボンファイバなどの高い機械的強度（高比強度、高比弾性率）を有する各種素材、複合材などを用いてもよい。
【００３２】
（５）こうした構成において、前記ワイヤは、ステンレス鋼を編んだステンレスワイヤであり、前記ワイヤ結合部の前記貫通孔および前記照明器具側に設けられた貫通孔に接する部位は、合成樹脂製の保護カバーにより被覆されたものとしてよい。こうすれば、ワイヤの錆などが生じ難く、また、貫通孔を傷つけることがない。保護カバーによってワイヤが直接脱落防止用ルーズナットや照明器具側の部材に接しないので、異種の金属が用いられていても、電食（異種金属接触腐食）などのトラブルを生じ難い。もとより、合成樹脂製の保護カバーは、ワイヤ６０側ではなく、ワイヤ６０が通される側、実施形態では、ベースプレート３５側に設けてもよい。更に、ワイヤ６０とベースプレート３５とを同じ材質にして電食の発生を予防してもよい。
【００３３】
（６）本開示の照明器具の設置方法は、トンネル内面に支持台を用いて照明器具を固定し、前記照明器具の固定位置の近傍にアンカーボルトを設置し、前記アンカーボルトに設けられた雄ネジ部に、ワイヤ取り付け用のルーズナットを螺合し、前記ルーズナットの前記螺合部から離間した部位に、前記螺合部における螺合の方向とは異なる方向に形成されたナット側貫通孔と、前記照明器具または前記照明器具を前記支持台に取り付ける部材に設けられた器具側貫通孔とにワイヤを貫通させ、前記ワイヤが貫通した前記ナット側貫通孔および前記器具側貫通孔から離脱しないように、前記ワイヤ同士を接合する。こうすれば、照明器具の脱落防止を図りつつ、照明器具を容易に設置できる。アンカーボルトの設置位置は、照明器具の近傍であればよく、照明器具より高い位置にあることが好ましいが、照明器具に対して、複数本のワイヤを掛ける場合には、高い位置になくても差し支えない。例えば照明器具が天井に取り付けられている場合、照明器具より高い位置のアンカーボルトを設置することは困難である。こうした場合、照明器具を挟んで両側にアンカーボルトを設置し、アンカーボルトに上記ルーズナットを取り付け、ナット側貫通孔と器具側貫通孔とにワイヤを貫通させればよい。こうすれば、照明器具が支持台等から外れても、両側のワイヤにより吊り下げられた状態となり、その脱落は防止できる。
【００３４】
（７）本開示の照明装置に脱落防止のための施工を行なう方法は、トンネル内面に支持台を用いて照明器具が固定された照明装置に脱落防止のための施工を行なう方法であって、前記照明装置の固定位置と同等または固定位置より高い位置にアンカーボルトを設置し、前記アンカーボルトに設けられた雄ネジ部に、ワイヤ取り付け用のルーズナットを螺合し、前記ルーズナットの前記螺合部から離間した部位に、前記螺合部における螺合の方向とは異なる方向に形成されたナット側貫通孔と、前記照明器具または前記照明器具を前記支持台に取り付ける部材に設けられた器具側貫通孔とにワイヤを貫通させ、前記ワイヤが、貫通した前記ナット側貫通孔および前記器具側貫通孔から離脱しないように、前記ワイヤ同士を接合する。こうすれば、既に設置されている照明装置であっても、照明器具の脱落を防止するための施工を容易に行なうことができる。
【００３５】
（８）本開示の照明装置は、トンネル内面に設けられた下孔に設置され、外側に雄ネジ部が形成されたアンカーボルトと、前記トンネル内面に、支持台を用いて固定された照明器具と、前記アンカーボルトの雄ネジ部に螺合される螺合部を有するルーズナットと、前記ルーズナットの前記螺合部から離間した位置に、前記螺合部における螺合の方向とは異なる方向に形成されたナット側貫通孔と、前記照明器具または前記照明器具を前記支持台に取り付ける部材に設けられた器具側貫通孔とに貫通されて固定されるワイヤとを備える。こうすれば、照明器具の脱落を予防できる照明装置を容易に提供できる。
【００３６】
本開示は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００３７】
１０…照明装置、１１…アンカーボルト、１２，１３…アンカーボルト、１８…スリーブ、１９…雄ネジ部、２０，２５，２６…支持台、２１…第１Ｌアングル、２１ａ，２１ｂ…アーム部、２１ｃ…ベース部、２２…第２Ｌアングル、３０…照明器具、３１…ボルト・ナット、３３…ケーブル、３５…ベースプレート、３７，３８…器具側貫通孔、５０，１５０，２５０…脱落防止用ルーズナット（ルーズナット）、５０ａ，１５０ａ，２５０ａ…螺合部、５０ｂ，１５０ｂ，２５０ｂ…ワイヤ結合部、５１，２５１…ネジ孔、５２，２５２…ナット側貫通孔、６０…ワイヤ、６１…圧着部材、７０…ＬＥＤランプ、７１…カバー、２２０…イモネジ、２６１…ネジ孔、ＴＷ…壁面、ＵＨ…下孔
【要約】
【課題】照明器具の脱落を防止する簡易な装置構成を提供する。
【解決手段】照明器具脱落防止用ルーズナットは、トンネル内面に設置されたアンカーボルトの雄ネジ部に螺合する螺合部と、螺合部における螺合の方向とは異なる方向に形成された貫通孔であって、照明器具または照明器具を取り付ける部材に結合されたワイヤが貫通する貫通孔を有するワイヤ結合部とを、金属材料により一体に形成している。
【選択図】図１【図１】
0006951802.tif 000002
【図２】
0006951802.tif 000003
【図３】
0006951802.tif 000004
【図４】
0006951802.tif 000005
【図５】
0006951802.tif 000006
【図６】
0006951802.tif 000007
【図７】
0006951802.tif 000008
【図８】
0006951802.tif 000009
【図９】
0006951802.tif 000010